(57)【要約】【課題】ラップ包装した際に容器が平面視において鼓状に変形することを防止すると共にラップフィルムの皺の発生を防止する。【解決手段】発泡層を有する合成樹脂シートからなり、底面部１と、該底面部１の周縁部から立ち上がった側壁部２と、該側壁部２の上端部から外側に延設されたフランジ部３とを備えた、平面視略長方形状のラップ包装用容器であって、フランジ部３の上面には、内外方向に沿って上側に向けて湾曲した形状である突条が全周に亘って形成されており、該突条に対応したフランジ部３の下面には、上側に向けて凹んだ凹溝３２が突条に沿って形成されており、フランジ部３の一対の長辺部３ａにおける凹溝３２は、それぞれ両辺端部から辺中央部にかけて溝深さが徐々に浅くなっている。【選択図】図２
2018199503.tif 000002
【特許請求の範囲】
【請求項１】
発泡層を有する合成樹脂シートからなり、底面部と、該底面部の周縁部から立ち上がった側壁部と、該側壁部の上端部から外側に延設されたフランジ部とを備えた、平面視略長方形状のラップ包装用容器であって、
フランジ部の上面には、内外方向に沿って上側に向けて湾曲した形状である突条が全周に亘って形成されており、該突条に対応したフランジ部の下面には、上側に向けて凹んだ凹溝が突条に沿って形成されており、
フランジ部の一対の長辺部における凹溝は、それぞれ両辺端部から辺中央部にかけて溝深さが徐々に浅くなっていることを特徴とするラップ包装用容器。
【請求項２】
発泡層を有する合成樹脂シートからなり、底面部と、該底面部の周縁部から立ち上がった側壁部と、該側壁部の上端部から外側に延設されたフランジ部とを備えた、平面視略正方形状のラップ包装用容器であって、
フランジ部の上面には、内外方向に沿って上側に向けて湾曲した形状である突条が全周に亘って形成されており、該突条に対応したフランジ部の下面には、上側に向けて凹んだ凹溝が突条に沿って形成されており、
フランジ部の四つの辺部における凹溝は、それぞれ両辺端部から辺中央部にかけて溝深さが徐々に浅くなっていることを特徴とするラップ包装用容器。
【請求項３】
両辺端部から辺中央部にかけて徐々に溝深さが浅くなっているフランジ部の辺部において、両辺端部から辺中央部にかけて、凹溝の外縁が徐々に凹溝の内縁に接近していくことにより溝幅が徐々に狭くなっている請求項１又は２記載のラップ包装用容器。
【請求項４】
両辺端部から辺中央部にかけて徐々に凹溝の溝深さが浅くなっているフランジ部の辺部において、突条の高さは、両辺端部から辺中央部にかけて徐々に低くなっており、突条の頂上部と凹溝の溝底部との間の厚さが略一定となるように、凹溝の溝深さの変化度合いと突条の高さの変化度合いとが略同一である請求項１又は２記載のラップ包装用容器。
【発明の詳細な説明】
【技術分野】
【０００１】
本発明は、上面開口部をラップフィルムによって覆って使用するラップ包装用容器に関する。
【背景技術】
【０００２】
肉や刺身、調理した食品などを収容し、上面開口部をラップフィルムで覆って、スーパーマーケットなどの商品棚に陳列するためのラップ包装用容器が広く普及している。この容器は発泡プラスチックを素材としたシートを熱成形して形成されたものであって、断熱性に優れ、かつ軽量化された容器として好適に使用されている。
【０００３】
ラップ包装は、人が手で直接ラップフィルムを掛けることの他に、ラップ包装機が用いられることも多い。ラップ包装機による場合、例えば食材を収容した容器を緊張状態のラップフィルムの下側に位置させ、その容器でラップフィルムを押し上げるようにして容器にラップフィルムを掛け回し、容器の底面部の下側でラップフィルムを密着シールして固定する。
【０００４】
このようなラップ包装においては、緊張状態のラップフィルムを容器に掛け回していくためにラップフィルムと容器との間の摩擦抵抗によって容器が変形しやすく、その変形は容器が薄肉になる程顕著になる。特に、ベテランの作業者が手で直接ラップ包装するのではなく、ラップ包装機でラップ包装する場合には、ラップフィルムのテンションが過度に大きくなりやすい。そのため、例えば容器が平面視略長方形状である場合には、対向する一対の長辺部がそれぞれ容器内側に向けて凹状に湾曲するように変形しやすく、特に、長辺部の辺中央部が最も内側に凹みやすい。その結果、ラップ包装された容器が平面視において鼓状に変形することになる。このように一対の長辺部が平面視において容器内側に向けて鼓状に変形すると、ラップ包装された容器の見栄えが悪くなる。
【０００５】
また、ラップ包装時に容器が変形するとラップフィルムに皺が発生しやすくなる。ラップ包装時にラップフィルムに皺が発生しなくても、容器が変形した状態でラップ包装されていると、その後にスーパーマーケットなどにおいて陳列されている間に、変形した容器が時間の経過と共に元の状態に戻ろうとしてラップフィルムに新たに皺が生じることがある。
【０００６】
一方、フランジ部の上面に突条を一定の高さで周設すると共にフランジ部の下面には一定の深さと幅の凹溝を周設してフランジ部の強度を高めることも行われていたが、ラップ包装時の容器の変形を防止するためには更なる改良が望まれた。また、ラップ包装時の容器の変形を防止することに関して、下記特許文献１では、フランジ部の上面におけるラップフィルムの滑りを良くすることによってラップ包装時の容器の破損を防止しようとしている。しかしながら、フランジ部の上面の滑りを良くすることでは、上述したような一対の長辺部が平面視において鼓状に変形することに対しては十分ではない。
【先行技術文献】
【特許文献】
【０００７】
【特許文献１】特開２００４−４２９５４号公報
【発明の概要】
【発明が解決しようとする課題】
【０００８】
それゆえに本発明は上記従来の問題点に鑑みてなされ、ラップ包装した際に容器が平面視において鼓状に変形することを防止すると共にラップフィルムの皺の発生を防止することを課題とする。
【課題を解決するための手段】
【０００９】
本発明は、上記課題を解決すべくなされたものであって、本発明に係るラップ包装用容器は、発泡層を有する合成樹脂シートからなり、底面部と、該底面部の周縁部から立ち上がった側壁部と、該側壁部の上端部から外側に延設されたフランジ部とを備えた、平面視略長方形状のラップ包装用容器であって、フランジ部の上面には、内外方向に沿って上側に向けて湾曲した形状である突条が全周に亘って形成されており、該突条に対応したフランジ部の下面には、上側に向けて凹んだ凹溝が突条に沿って形成されており、フランジ部の一対の長辺部における凹溝は、それぞれ両辺端部から辺中央部にかけて溝深さが徐々に浅くなっていることを特徴とする。
【００１０】
平面視略長方形状の容器の場合、ラップ包装機は、容器の長辺側にラップフィルムを掛け回して底面部で密着させ、短辺側のラップフィルムを折り返す。そのため、容器の長辺側の中央部が内側に凹んだ鼓状となりやすい。これに対して本発明に係るラップ包装用容器では、フランジ部の一対の長辺部においてそれぞれ凹溝の溝深さが両辺端部から辺中央部にかけて徐々に浅くなっている。そのため、フランジ部の長辺部が凹溝によって外側の部分である外周部と内側の部分である内周部とに分断される程度は、両辺端部から辺中央部にかけて徐々に弱まっていくことになり、フランジ部の長辺部の強度は、凹溝の溝深さが一定である場合に比して、両辺端部から辺中央部にかけて徐々に増していくことになる。従って、ラップ包装の際にフランジ部の長辺部が容器内側に向けて凹状に変形しにくい。
【００１１】
また、本発明に係るラップ包装用容器は、発泡層を有する合成樹脂シートからなり、底面部と、該底面部の周縁部から立ち上がった側壁部と、該側壁部の上端部から外側に延設されたフランジ部とを備えた、平面視略正方形状のラップ包装用容器であって、フランジ部の上面には、内外方向に沿って上側に向けて湾曲した形状である突条が全周に亘って形成されており、該突条に対応したフランジ部の下面には、上側に向けて凹んだ凹溝が突条に沿って形成されており、フランジ部の四つの辺部における凹溝は、それぞれ両辺端部から辺中央部にかけて溝深さが徐々に浅くなっていることを特徴とする。
【００１２】
該構成のラップ包装用容器にあっては、フランジ部の四つの辺部のそれぞれにおいて、凹溝の溝深さが両辺端部から辺中央部にかけて徐々に浅くなっている。そのため、フランジ部の各辺部が凹溝によって外側の部分である外周部と内側の部分である内周部とに分断される程度は、両辺端部から辺中央部にかけて徐々に弱まっていくことになり、フランジ部の各辺部の強度は、凹溝の溝深さが一定である場合に比して、両辺端部から辺中央部にかけて徐々に向上していくことになる。従って、ラップ包装の際にラップフィルムの巻回方向に対向したフランジ部の一対の辺部が容器内側に向けて凹状に変形しにくい。また、フランジ部の四つの辺部の全てにおいて、凹溝の溝深さが両辺端部から辺中央部にかけて徐々に浅くなっているので、ラップ包装の際、容器の置き方による方向性がなく、作業者の負担が軽減される。
【００１３】
特に、両辺端部から辺中央部にかけて徐々に溝深さが浅くなっているフランジ部の辺部において、両辺端部から辺中央部にかけて、凹溝の外縁が徐々に凹溝の内縁に接近していくことにより溝幅が徐々に狭くなっていることが好ましい。両辺端部から辺中央部にかけて溝深さが徐々に浅くなっていくと共に溝幅も徐々に狭くなっていくことにより、ラップ包装時に辺中央部が容器内側に向けてより一層変形しにくくなる。ところで、溝幅が徐々に狭くなっていく構成としては大きく分けて三つのタイプがある。一つ目は、凹溝の外縁が凹溝の内縁に向けて接近していくもの、即ち、凹溝の外縁が相対的に内側に向けて移行していくものである。二つ目は、逆に凹溝の内縁が凹溝の外縁に向けて接近していくもの、即ち、凹溝の内縁が相対的に外側に向けて移行していくものである。三つ目は、凹溝の外縁と内縁が何れも互いに接近していくもの、即ち、凹溝の外縁が相対的に内側に向けて移行していくと共に凹溝の内縁が相対的に外側に向けて移行していくものである。この三つの構成のうち一つ目の構成とすることが好ましい。即ち、両辺端部から辺中央部にかけて、凹溝の外縁が徐々に凹溝の内縁に接近していくことにより溝幅が徐々に狭くなっている構成とすることが好ましい。フランジ部の下面に凹溝が形成されていることにより、フランジ部は凹溝よりも外側に位置する外周部と凹溝よりも内側に位置する内周部とに区分けできる。そして、凹溝の外縁が内縁に向けて接近していくことで、フランジ部の外周部のみが両辺端部から辺中央部にかけて徐々に幅広となっていく。そのため、凹溝の溝幅を狭くしていくことで厚肉となる部分が凹溝の外側（フランジ部の外周部）と凹溝の内側（フランジ部の内周部）とに分散されずに凹溝の外側に集中することになり、フランジ部の辺中央部における外周部が内側に向けて変形しにくくなる。
【００１４】
また、両辺端部から辺中央部にかけて徐々に凹溝の溝深さが浅くなっているフランジ部の辺部において、突条の高さは、両辺端部から辺中央部にかけて徐々に低くなっており、突条の頂上部と凹溝の溝底部との間の厚さが略一定となるように、凹溝の溝深さの変化度合いと突条の高さの変化度合いとが略同一であることが好ましい。該構成によれば、突条の高さが両辺端部から辺中央部にかけて徐々に低くなっているので、ラップ包装時に辺中央部に作用するラップフィルムのテンションを抑制できる。そして、両辺端部から辺中央部にかけて凹溝の溝深さの変化度合いと突条の高さの変化度合いとが略同一であって、突条の頂上部と凹溝の溝底部との間の厚さが略一定となっていると、フランジ部の辺中央部における強度を十分に確保しつつラップフィルムとの間の摩擦抵抗を低減できる。
【発明の効果】
【００１５】
以上のように、フランジ部の両辺端部から辺中央部にかけて凹溝の溝深さを徐々に浅くしていくことで、ラップ包装した際に容器が平面視において鼓状に変形することを防止することができ、また、ラップフィルムの皺の発生も防止することができる。
【図面の簡単な説明】
【００１６】
【図１】本発明の一実施形態におけるラップ包装用容器を平面側から見た斜視図。
【図２】同容器を底面側から見た斜視図。
【図３】同容器の平面図。
【図４】同容器の底面図。
【図５】同容器を長辺側から見た正面図。
【図６】（ａ）は図３のＡ−Ａ断面図、（ｂ）は図３のＣ−Ｃ断面図。
【図７】図３のＤ−Ｄ断面図。
【図８】（ａ）は図３のＡ−Ａ要部拡大断面図、（ｂ）は図３のＢ−Ｂ要部拡大断面図、（ｃ）は図３のＣ−Ｃ要部拡大断面図。
【図９】図４のＥ−Ｅ断面図。
【図１０】本発明の他の実施形態におけるラップ包装用容器を示す平面図。
【図１１】同容器の底面図。
【図１２】（ａ）は図１０のＦ−Ｆ要部拡大断面図、（ｂ）は図１０のＧ−Ｇ要部拡大断面図。
【図１３】本発明の他の実施形態におけるラップ包装用容器を示す平面図。
【図１４】同容器の底面図。
【発明を実施するための形態】
【００１７】
以下、本発明の一実施形態に係るラップ包装用容器（以下、単に容器と呼ぶ。）について図１〜図９を参酌しつつ説明する。本実施形態における容器は、図３に示す平面視において、あるいは、図４に示す底面視において、縦寸法よりも横寸法の方が長い略長方形状のものである。また、容器は、図１、図２及び図５のように、縦寸法及び横寸法に対して高さ寸法（上下寸法）が小さいトレー状の容器である。収容対象物は特には限定されないが、各種の食材が好適である。尚、本実施形態の容器では、四つのコーナー部が円弧状とされた角丸状となっているが、コーナー部が平面視略４５度で隅切り（面取り）された隅切り形状であってもよい。
【００１８】
＜全体構成、底面部１＞
容器は、底面部１と、該底面部１の周縁部から立ち上がった側壁部２と、該側壁部２の上端部から外側に延設されたフランジ部３とを備えている。底面部１は、容器の平面視形状に対応して平面視略長方形状である。尚、底面部１の一対の長辺は平面視においてそれぞれ直線状ではなく外側に向けて湾曲した曲線状となっていることが好ましく、底面部１の一対の長辺は外側に太鼓状に膨出していることが好ましい。また、底面部１は、図５のように全体として長辺方向に沿って上側に向けて湾曲した湾曲形状となっていることが好ましい。底面部１の上面は、全体として、長辺方向に沿って上側に向けて湾曲した膨出形状となっていることが好ましい。底面部１の下面は、平面視略長方形状の下面主部１０と、その外側に囲むように周設された所定幅の枠状の下面枠部と、下面主部１０と下面枠部との間の境界部分に位置する所定幅の傾斜面部１２とから構成してよい。下面主部１０は下面枠部に対して上側に向けて凹んでおり、傾斜面部１２は、下面主部１０の外周縁部と下面枠部の内周縁部との間を傾斜しつつ接続している構成としてよい。下面枠部は、一対の長辺帯部１１ａと一対の短辺帯部１１ｂとから構成されている。下面枠部の長辺帯部１１ａは、長辺方向に沿って上側に向けて湾曲した湾曲面としてよい。下面枠部の短辺帯部１１ｂは、短辺方向に沿って高さが略一定の平坦面となっている。従って、下面枠部の一対の短辺帯部１１ｂが接地面となり、容器を水平な載置面に載置した際には、下面枠部の一対の短辺帯部１１ｂが載置面に当接し、下面主部１０は載置面から上方に浮いた状態となる。
【００１９】
＜側壁部２＞
側壁部２は底面部１の下面枠部の外周縁部から上側に向けて外側に拡開しつつ立ち上がっている。即ち、側壁部２は、底面部１に対して斜め上方に立ち上がっている。側壁部２の底面部１に対する立ち上がり角度は、底面部１に対して側壁部２が拡開せずに垂直上方に立ち上がっている場合を９０度とする角度である。上述のように側壁部２は底面部１に対して外側に拡開しつつ上方に立ち上がっているので、その立ち上がり角度は９０度未満である。尚、側壁部２と底面部１との境界部分には、上下方向に沿って外側に向けて湾曲した湾曲面部４が形成されている。側壁部２は、四つの壁面部２ａ，２ｂから構成され、一対の長辺側の壁面部２ａと一対の短辺側の壁面部２ｂとからなる。短辺側の壁面部２ｂは容器の内外方向に湾曲しない傾斜平面となっており、従って、短辺側の壁面部２ｂは、上下方向に沿って傾斜しつつ直線状に延びると共に水平方向にも直線状に延びており、長辺側の壁面部２ａは、上下方向には傾斜しつつ直線状に延びているが、水平方向には外側に向けて湾曲した形状となっていてよい。従って、長辺側の壁面部２ａは、水平方向に沿って外側に向けて湾曲した湾曲面となっていてもよい。長辺側の壁面部２ａは、両辺端部から辺中央部にかけて外側に向けて膨出するように湾曲していてよい。長辺側の壁面部２ａの下端部における外側への膨出の程度は相対的に小さく、長辺側の壁面部２ａの上端部における外側への膨出の程度は相対的に大きく構成してもよい。
【００２０】
＜フランジ部３＞
フランジ部３は、側壁部２の上端部に全周に亘って形成されている。フランジ部３は、その上面に周回方向に延びる突条３０を全周に亘って備えており、その下面には周回方向に延びる凹溝３２を略全周に亘って備えている。凹溝３２は突条３０の下側に対応して位置している。また、フランジ部３の外周縁部には、薄肉状の縁取り部３５が全周に亘って形成されている。該縁取り部３５が容器の最外周部を構成している。縁取り部３５は、外側に向けて略水平に延びている。また、フランジ部３と側壁部２は互いに滑らかに連続していてもよいが、本実施形態では、フランジ部３と側壁部２との境界部分に段差部５が全周に亘って形成されている。段差部５の上面５０は略水平な平坦面であって、段差部５の下面５１は上下方向に沿って湾曲すると共に外側且つ下側に向けて円弧状に突出する湾曲面となっている。そして、段差部５の上面５０の外縁から外側に向けてフランジ部３の上面が延設され、段差部５の下面５１の外縁から外側に向けてフランジ部３の下面が延設されている。
【００２１】
また、フランジ部３の一対の長辺部３ａは、平面視において、それぞれ外側に向けて湾曲しており、辺中央部においても最も外側に膨出していることが好ましい。従って、一対の長辺部３ａは平面視において太鼓状に外側に膨出した形状となっていることが好ましい。一方、フランジ部３の一対の短辺部３ｂは、平面視において外側にも内側にも湾曲しておらず直線状としてよい。
【００２２】
フランジ部３の上面は、内側に位置すると共に主要部分を占める突条３０と、該突条３０の外側に位置し、突条３０よりも細幅である縁取り上面３１とから構成される。突条３０は、段差部５の上面５０と縁取り上面３１との間を連結している。また、突条３０は、容器の最上部を構成している。突条３０は、内外方向に沿って上側に向けて円弧状に湾曲した湾曲面となっている。突条３０の高さは、即ち、突条３０において最も高い箇所である頂上部３０ａの高さである。縁取り上面３１の高さが一定であるため、突条３０の高さは、図８に符号Ｈで示しているように例えば縁取り上面３１から頂上部３０ａまでの上下方向の寸法で表すことができる。突条３０の高さＨは、全周に亘って一定であってもよいが、本実施形態においては、一対の長辺部３ａにおいても一対の短辺部３ｂにおいても、何れも、両辺端部から辺中央部にかけて徐々に低くなっており、辺中央部において最も低くなっている。但し、少なくとも一対の長辺部３ａにおいて、突条３０の高さＨが、両辺端部から辺中央部にかけて徐々に低くなっていることが好ましい。図９にも長辺部３ａにおいて突条３０の高さＨが両辺端部から辺中央部にかけて徐々に低くなっている様子を示している。図９において上側の二点鎖線６０は、突条３０の高さＨが仮に一定であった場合の仮想の水平線を示している。
【００２３】
縁取り上面３１は略水平な平坦面であって、縁取り部３５の上面を構成している。縁取り上面３１は、段差部５の上面５０よりも高い位置にあるが、同じ位置であってもよいし、段差部５の上面５０よりも低い位置にあってもよい。縁取り上面３１の高さは全周に亘って一定であることが好ましく、後述するフランジ部３の下面の下平坦面３３の高さも全周に亘って一定であることが好ましい。縁取り上面３１の高さが全周に亘って一定である一方、突条３０の高さＨが辺端部から辺中央部にかけて徐々に低くなっていくことから、縁取り上面３１を基準とした突条３０の上側への膨出量が辺端部から辺中央部にかけて徐々に小さくなっている。
【００２４】
フランジ部３の下面は、内側に位置する凹溝３２と、該凹溝３２の外側に位置する下平坦面３３とから構成される。凹溝３２は段差部５の下面５１と下平坦面３３との間を連結している。フランジ部３の下面の下平坦面３３は、全周に亘って高さが一定であることが好ましい。凹溝３２は、上側に向けて凹んだ形状であってその断面形状は種々の形状であってよいが、好ましくは図６〜図８等に示すような断面視において円弧状である。但し、凹溝３２が断面視Ｖ字状等であってもよい。凹溝３２は段差部５の下面５１と滑らかに連続している。凹溝３２の外縁３２ａは、凹溝３２の外側の開口縁部であって、図６〜図８等のような断面視において、下平坦面３３と凹溝３２との境界部分である。凹溝３２の内縁３２ｂは、凹溝３２の内側の開口縁部であるが、断面視において、下平坦面３３から内側に延長した水平面が交叉する線とする。
【００２５】
凹溝３２の溝深さは、下平坦面３３から凹溝３２の溝底部３２ｃまでの上下方向の寸法であるが、この凹溝３２の溝深さは、短辺部３ｂにおいては全長に亘って一定となっている。また、凹溝３２の溝幅は、凹溝３２の外縁３２ａと内縁３２ｂとの間の寸法であるが、この溝幅は、短辺部３ｂにおいては全長に亘って一定となっている。
【００２６】
一方、長辺部３ａにおいては、凹溝３２の溝深さは全長に亘って一定ではなく変化している。図８に詳細を示しているが、凹溝３２の溝深さは、両辺端部から辺中央部にかけて徐々に浅くなっており、辺中央部において最も浅くなっている。本実施形態では、辺中央部において凹溝３２の溝深さは０となっている。図９にも長辺部３ａにおいて凹溝３２の溝深さが両辺端部から辺中央部にかけて徐々に浅くなっている様子を示している。図９において下側の二点鎖線は水平な下平坦面３３を示している。辺中央部において凹溝３２の溝底部３２ｃが下平坦面３３と同じ高さになっていて辺中央部において凹溝３２は消失している。そして、両辺端部から辺中央部にかけての凹溝３２の溝深さの変化の度合いは、両辺端部から辺中央部にかけての突条３０の高さＨの変化の度合いと略等しい。従って、両辺端部から辺中央部にかけて突条３０の頂上部３０ａと凹溝３２の溝底部３２ｃとの間の厚さＴは略一定となっている。尚、凹溝３２の溝深さは、段差なく連続的に変化していることが好ましいが、例えば階段状あるいはステップ状に変化してもよく、何れにしても徐々に変化していればよい。
【００２７】
また、図４のように凹溝３２の溝幅も長辺部３ａにおいては全長に亘って一定ではなく変化している。凹溝３２の溝幅は、両辺端部から辺中央部にかけて徐々に狭くなっていて、辺中央部においても最も狭くなっている。本実施形態では、辺中央部において凹溝３２の溝幅は０となっている。また、両辺端部から辺中央部にかけて徐々に凹溝３２の外縁３２ａが内縁３２ｂに接近していくことによって凹溝３２の溝幅が狭くなっている。両辺端部から辺中央部にかけて徐々に凹溝３２の外縁３２ａが内縁３２ｂに接近していくことにより、両辺端部から辺中央部にかけて徐々に下平坦面３３の幅（凹溝３２の外縁３２ａとフランジ部３の下面の外縁との間の距離）は広がっていき、下平坦面３３の幅は辺中央部において最も広くなっている。尚、凹溝３２の溝幅も溝深さと同様に段差なく連続的に変化していることが好ましいが、階段状あるいはステップ状に変化していてもよく、何れにしても徐々に変化していればよい。
【００２８】
このように、長辺部３ａにおいては、両辺端部から辺中央部にかけて凹溝３２の溝深さが徐々に浅くなっていくと共に溝幅が徐々に狭くなっていき、辺中央部において凹溝３２は消失している。従って、辺中央部においてフランジ部３の下面は全幅に亘って下平坦面３３となっている。尚、凹溝３２が消失している範囲は一点であってもよいし、所定長さを有していてもよい。
【００２９】
容器はいわゆるシート成形により形成されている。シート成形としては例えば真空成形、圧空成形、真空圧空成形、両面真空成形、熱板成形等があり、何れにしても合成樹脂シートを熱成形することにより形成される。合成樹脂シートとしては、例えばポリエチレンテレフタレートなどのポリエステル樹脂やポリスチレンなどのスチレン系樹脂、さらにはポリプロピレンなどのオレフィン樹脂などを発泡した発泡シートである。これらの中でも、特にこの発泡シートの片面もしくは両面に樹脂フィルムが積層された発泡層と表面フィルム層とを有する積層樹脂シートを使用することが好ましい。この発泡シートの片面、もしくは両面に積層される樹脂フィルムには、例えば、ポリスチレン樹脂、ハイインパクトポリスチレン樹脂、耐熱ポリスチレン樹脂などのスチレン系樹脂が用いられてなるフィルムや、ポリエチレン樹脂、ポリプロピレン樹脂などのポリオレフィン樹脂が用いられてなるフィルム、ポリエチレンテレフタレート樹脂などのポリエステル樹脂が用いられてなるフィルム、ポリビニルアルコール樹脂、ポリ塩化ビニリデン樹脂などのガスバリア性に優れた樹脂が用いられてなるフィルムを、それぞれ単独で用いることができ、あるいは、これらのフィルム同士を積層させたフィルム（積層フィルム）を用いることもできる。その中でも特に、発泡シートとしてスチレン系樹脂を使用した場合には、この発泡樹脂の素材と同種の樹脂を用いたフィルムすることで、その全体が同じ材質で構成されることとなり、包装用容器のリサイクル性を向上させ得る点において好適である。何れにしても合成樹脂シートは、少なくとも発泡層を有するものであって、少なくとも片面にフィルムを積層した積層発泡シートで構成していてもよいし、発泡シートを単独で使用して容器を構成していてもよい。
【００３０】
食材を収容するための容器としては、通常、上述の発泡シートによって構成された０．５〜３ｍｍの厚さの発泡層と、上記樹脂フィルムによって構成された３μｍ〜２００μｍの厚さの表面フィルム層とを備えた樹脂シートを用いることが好ましい。
【００３１】
以上のように構成された容器には、ラップ包装によって上面開口部を塞ぐようにラップフィルムが短辺方向に沿って掛け回される。このラップ包装は、ラップ包装機を用いた自動によるもの、あるいは、人の手作業である手動によるものの何れであってもよいが、この容器は、特に自動によるラップ包装の場合に好適である。ラップフィルムは短辺方向に沿って掛け回されるので、主として一対の長辺部３ａにラップフィルムによるテンションが作用することになる。
【００３２】
この容器においては、一対の長辺部３ａにおいてそれぞれ凹溝３２の溝深さが両辺端部から辺中央部にかけて徐々に浅くなっているため、フランジ部３の長辺部３ａが凹溝３２によって内外に分断される程度は、両辺端部から辺中央部にかけて徐々に弱まっていく。従って、フランジ部３の長辺部３ａの強度は、凹溝３２の溝深さが一定である場合に比して、両辺端部から辺中央部にかけて徐々に向上する。その結果、ラップ包装の際にフランジ部３の一対の長辺部３ａが平面視において内側に鼓状に変形することを防止でき、ラップフィルムの皺の発生も防止することができる。従って、良好な見栄えが得られ、消費者に商品をきれいに見せることができ、より高い商品価値を訴求できる。
【００３３】
特に、フランジ部３の一対の長辺部３ａにおいて、両辺端部から辺中央部にかけて凹溝３２の溝深さが徐々に浅くなっていくと共に溝幅も徐々に狭くなっていると、ラップ包装時におけるフランジ部３の一対の長辺部３ａの内側への変形をより一層防止することができる。更に、両辺端部から辺中央部にかけて凹溝３２の外縁３２ａが徐々に凹溝３２の内縁３２ｂに接近していくことにより凹溝３２の溝幅が徐々に狭くなっていくと、フランジ部３の外周部のみが両辺端部から辺中央部にかけて徐々に幅広となっていくので、長辺部３ａの辺中央部においてフランジ部３の外周部が内側により一層変形しにくくなる。
【００３４】
更に、突条３０の高さＨが一対の長辺部３ａにおいて両辺端部から辺中央部にかけて徐々に低くなっていると、ラップ包装時のラップフィルムとフランジ部３の一対の長辺部３ａとの間の摩擦抵抗を低減でき、皺なくスムーズにラップフィルムを掛け回すことができると共に、一対の長辺部３ａに過大な力が作用しにくくなって一対の長辺部３ａの変形を抑制できる。特に、一対の長辺部３ａにおいて、凹溝３２の溝深さの変化度合いと突条３０の高さＨの変化度合いとが略同一であって、突条３０の頂上部３０ａと凹溝３２の溝底部３２ｃとの間の厚さが両辺端部から辺中央部にかけて略一定であると、辺中央部における強度を十分に確保しつつラップフィルムとの摩擦抵抗を低減でき、一対の長辺部３ａがラップ包装時に鼓状に変形することをより一層防止することができる。
【００３５】
また、ラップ包装前の状態において平面視においてフランジ部３の一対のフランジ部３が太鼓状に外側に膨出していると、ラップ包装によってフランジ部３の一対の長辺部３ａが仮に内側に変形したとしても、鼓状になる程には変形せず、略直線状となる程度に留まる。そのためラップ包装後の良好な外観体裁を確保できる。
【００３６】
尚、本実施形態では、一対の長辺部３ａの辺中央部において凹溝３２が実質上消失する構成であったが、一対の長辺部３ａの辺中央部において凹溝３２が残存している構成であってもよい。例えば、図１０〜図１２に示しているように、一対の長辺部３ａにおいて両辺端部から辺中央部にかけて凹溝３２の溝幅が徐々に狭くなっているが、辺中央部においても細い幅で凹溝３２が残存していてもよい。尚、図１０〜図１２に示す実施形態においても凹溝３２の溝深さは両辺端部から辺中央部にかけて徐々に浅くなっていて辺中央部において最も浅くなっている。このように辺中央部において凹溝３２が所定幅で残っている構成においても、凹溝３２の最も細い幅の範囲は一点であってもよいし所定長さを有していてもよい。尚、図１０及び図１１のように、長辺部３ａと短辺部３ｂとの比率についても種々変更可能である。また、この容器では、図１１のように、底面部１の下面に下面主部１０は設けられておらず、底面部１の下面は、下面枠部（長辺帯部１１ａ、短辺帯部１１ｂ）とその内側に位置する傾斜面部１２のみから構成されている。
【００３７】
また、平面視において略長方形状の容器ではなく、図１３及び図１４のように平面視において略正方形状の容器であってもよい。平面視略正方形状の容器においては、フランジ部３の四つの辺部３ｃの何れにも、上述の平面視略長方形状における長辺部３ａの構成を採用することが好ましい。即ち、各辺部３ｃにおいて、両辺端部から辺中央部にかけて凹溝３２の溝深さが徐々に浅くなっていき、また、両辺端部から辺中央部にかけて凹溝３２の溝幅が徐々に狭くなっていくようにすることが好ましい。ラップ包装の際に、容器の置き方による方向性がなくなり、作業者の負担が軽減されるため好ましい。
【００３８】
尚、底面部１や側壁部２等には、補強用のリブを形成してよい。また、縁取り部３５には、切創を抑制するためのエッジ加工を設けてよい。エッジ加工は、縁取り部３５の上面及び下面に例えば内外方向に沿って延びる極細の多数の凹凸を形成することで、指などが当たっても創傷することがないようにするものである。このエッジ加工によって、縁取り部３５の端面を外側から水平方向内側に向けて見たときに、縁取り部３５は上下に略波形状となる。この略波形状は、多数の山と谷の方向が縁取り部３５の幅方向に規則的あるいは不規則的に短く形成され、コーナー部においては放射状に形成される。尚、エッジ加工による凹凸は、平目ローレット目や綾目ローレット目のようなローレット目であってもよい。
【符号の説明】
【００３９】
１    底面部
２    側壁部
２ａ  長辺側の壁面部
２ｂ  短辺側の壁面部
３    フランジ部
３ａ  長辺部
３ｂ  短辺部
３ｃ  辺部
４    湾曲面部
５    段差部
１０    下面主部
１１ａ  長辺帯部
１１ｂ  短辺帯部
１２    傾斜面部
３０    突条
３０ａ  頂上部
３１    縁取り上面
３２    凹溝
３２ａ  外縁
３２ｂ  内縁
３２ｃ  溝底部
３３    下平坦面
３５    縁取り部
５０    段差部の上面
５１    段差部の下面
６０    仮想の水平線
【図１】
2018199503.tif 000003
【図２】
2018199503.tif 000004
【図３】
2018199503.tif 000005
【図４】
2018199503.tif 000006
【図５】
2018199503.tif 000007
【図６】
2018199503.tif 000008
【図７】
2018199503.tif 000009
【図８】
2018199503.tif 000010
【図９】
2018199503.tif 000011
【図１０】
2018199503.tif 000012
【図１１】
2018199503.tif 000013
【図１２】
2018199503.tif 000014
【図１３】
2018199503.tif 000015
【図１４】
2018199503.tif 000016